(57)【特許請求の範囲】
【請求項１】
略直方体のプラスチック中空容器において、直方体の天板部の略中央と前板部の略中央とに各々把手が設けられ、天板部の前板寄り端には上方に向くと共に該前板部側に傾斜した筒状の液入出開口を有し、該前板部の一部を筒壁として該前板部の把手の内側が中空筒となって容器全体の中空の一部を形成し、該中空筒の略直線延長線上に該液入出開口が位置していることを特徴とする液体容器。
【請求項２】
該中空筒の断面が円形乃至楕円形であることを特徴とする請求項１に記載の液体容器。
【請求項３】
前記天板部の略中央に設けられた把手が厚板状であり、この把手の厚板状の上面が該天板部の上面と略同一面になっていて、該天板部の上に他の前記容器を正立した状態で積み重ね可能に構成されていることを特徴とする請求項１に記載の液体容器。
【請求項４】
前記前板部の略中央に設けられた把手の前側が該前板部と略同一面になっていることを特徴とする請求項３に記載の液体容器。
【請求項５】
請求項１に記載の液体容器において、該プラスチックがポリエチレンまたは／およびエチレン・α−オレフィン共重合体からなる樹脂組成物を成形原料とし、該樹脂組成物中のエチレン、プロピレン、ブテン−１、４−メチル−ペンテン−１、ヘキセン−１またはオクテン−１のオレフィン重合体、およびこれらの共重合体の中から選ばれる少なくとも１種類が５０重量％以上であることを特徴とする人工透析液の容器。
【請求項６】
該成形原料は、ＪＩＳ−Ｋ７１４０に準じて測定した密度が０．９３０〜０．９７０ｇ／ｃｍ３、メルトフローインデックスが０．０１〜０．６０ｇ／１０ｍｉｎの範囲で選別した該樹脂組成物であることを特徴とする請求項５に記載の人工透析液の容器。
【請求項７】
該樹脂組成物は、水によって析出する物質の総量を定量する蒸発残留物試験法での蒸発残留物が３０ｐｐｍを超えず、水によって析出する還元性物質の量を定量する過マンガン酸カリウム消費量試験法での過マンガン酸カリウムの消費量が１０ｐｐｍを超えない範囲で選別した該樹脂組成物であることを特徴とする請求項５に記載の人工透析液の容器。
【発明の詳細な説明】
【０００１】
【発明の属する技術分野】
本発明は、液体、特には人工透析液の収容、保存、運搬に適した容器に関するものである。
【０００２】
【従来の技術】
ポリタンクと呼ばれている略直方体のプラスチック中空容器は、日常生活のなかで、例えば灯油を貯蔵、運搬するため多用され、図示せずともその構造は良く知られている。かかるポリタンクに貯蔵されている灯油等の液体は、上部の把手を持ってタンクを傾けて排出開口からあけられる。液が満タンにちかい場合には、タンク上方の角部に生じた閉鎖空間（空気溜まり）に、補充空気が流入しづらいため、潤沢な排出ができない。
【０００３】
このような障害を除くため、液体の入ったタンクを傾けたときに閉鎖空間となる位置の容器壁に、開閉式の空気流入口を設け、必要に応じて開口し液体の排出作業を行っている。しかしながら、ポリタンクの器壁を構成するポリエチレン等の材質は充分な剛性と厚みを持っているものではない。そのため、空気流入口が開いていても液体の排出に伴って先ず容器側壁が僅かに凹み、その凹みを復元するために空気流入口から空気が流入するという動作が繰り返される。いわゆる脈動現象であり、液体が一定間隔の音をたてながら間欠的に排出され、潤沢な排出を妨げる。その結果、液の飛び散りとなったり、あるいは液の排出停止を任意のタイミングによりできないという問題が生じている。
【０００４】
一方、例えば実開昭６０-３３００９号公報には、ダブルハンドルポリタンクと称するポリタンクが示されている。このポリタンクは直方六面体の頂部の一隅角を切り欠いた形状を有し、頂平面および排出口の対向面にそれぞれ一の把手を備えている。さらには直方六面体の頂部には、従来のポリタンクと同様な空気流入口と思われるものキャップを付されて描かれている。このダブルハンドルポリタンクは、二つの把手を持つことによって安定した排出作業ができるようになるため、過剰注ぎ出しが防止され、安全作業およびロスの防止を達成できるというものである。
【０００５】
【発明が解決しようとする課題】
この公報に記載されたポリタンクであっても、タンクが満タンのときに起こる前記脈動現象による液の飛び散りや、液の排出停止を任意のタイミングによりできないという問題は解決されていない。
【０００６】
本発明はこのような問題点を解消するためになされたもので、タンクが満タンであっても、液を極めて潤沢に排出することができる液体容器、人工透析液の容器を提供することを目的としている。
【０００７】
【課題を解決するための手段】
前記の目的を達成するためになされた本発明の液体容器は、実施例に対応する図１に示すとおり、略直方体のプラスチック中空容器１０において、直方体の天板部１１の略中央と前板部１２の略中央とに各々把手１３および１４が設けられ、天板部１１の前板寄り端には上方に向くと共に前板部１２側に傾斜した筒状の液入出開口１６を有し、前板部１２の一部を筒壁として前板部１２の把手１４の内側が中空筒となって容器１０全体の中空の一部を形成し、該中空筒の略直線延長線上に液入出開口１６が位置している。
把手１４の中空筒の断面は円形乃至楕円形が好ましい。
【０００８】
この液体容器は、液入出開口１６が天板部１１にあって上方に向いているから、液が満タンに近い状態（図２参照）で立てて保存、運搬するときにキャップ１７の緩みがあっても開口からの漏れがない。その一方で、把手１４の内側中空筒の直線延長線上に液入出開口１６が位置しているから、満タンに近い状態で液をあけるときには、把手１４を持って前板部１２を上向きにして排出させれば（図３参照）、容器上方の空気溜まりは液入出開口１６を通じて外界と通じ閉鎖空間にはならないので、脈動現象がなくなる。したがって、潤沢に液を排出することができる。
この液体容器は、天板部１１の略中央に設けられた把手１３が厚板状であり、この把手１３の厚板状の上面が天板部１１の上面と略同一面になっていて、天板部１１の上に他の容器１０を正立した状態で積み重ね可能に構成されている。
さらに前板部１２の略中央に設けられた把手１４の前側が前板部１２と略同一面になっている。
【０００９】
同じく前記の目的を達成するためになされた本発明の人工透析液の容器は、前記液体容器を構成するプラスチックがポリエチレンまたは／およびエチレン・α−オレフィン共重合体からなる樹脂組成物を成形原料とし、その樹脂組成物中のエチレン、プロピレン、ブテン−１、４−メチル−ペンテン−１、ヘキセン−１またはオクテン−１のオレフィン重合体、およびこれらの共重合体の中から選ばれる少なくとも１種類が５０重量％以上であることを特徴とする。
【００１０】
成形原料は、ＪＩＳ−Ｋ７１４０に準じて測定した密度が０．９３０〜０．９７０ｇ／ｃｍ３、メルトフローインデックス（メルトフローレート、Melt Flow Rate: ＭＦＲ）が０．０１〜０．６０ｇ／１０ｍｉｎの範囲で選別した樹脂組成物であると適切に実施できる。
【００１１】
さらにこの成形原料は、水によって析出する物質（無機質および有機質）の総量を定量する蒸発残留物試験法での蒸発残留物が３０ｐｐｍを超えず、水によって析出する還元性物質（例えば重金属）の量を定量する過マンガン酸カリウム消費量試験法での過マンガン酸カリウムの消費量が１０ｐｐｍを超えない樹脂組成物を選別したものであることが好ましい。
【００１２】
容器が、かかるプラスチック材質により形成されることにより、収容される人工透析液にプラスチック材質から異物が溶け出し混入することを防ぐことができる。
【００１３】
【発明の実施の形態】
以下、本発明を適用する液体容器の好ましい実施の形態を図面により詳細に説明する。
【００１４】
図１は本発明の液体容器の一実施例を示す斜視図である。同図に示すとおり、この液体容器１０は、天板１１、底板、前板１２、後板、両側板を持つ略直方体のポリエチレン製である。ブロー成形により一体成型されており、内部中空に液体を収容できる。
【００１５】
天板１１の中央には、厚板状の把手１３が一体に成型されている。また前板１２の中央には筒状の把手１４が前板１２の一部を筒壁として一体に成型され、筒の内空は液体容器全体の内部中空に通じている。天板１１の前板１２側の端には、液入出開口１６があいている。液入出開口１６の頸部は略上方に向き、若干、前板１２側に上部が傾斜し、周囲はキヤップ１７をねじ込むための雄ネジが成型されている。把手１４の筒内側は液入出開口１６から前板１２に沿って底板まで見通せる位置関係になっている。
【００１６】
液体を収容したこの容器１０を運搬するときには、図２に示すとおり、把手１３を手指で掴んで行う。このように正立した状態で積み重ねて保管することもできる。満タンに近い液でも液入出開口１６の縁に接しないので、万一、キヤップ１７が緩んでいても液の沁みだしがない。
【００１７】
満タンに近い状態でこの容器１０から液をあけるときには、把手１３を掴んで前板１２を上にすると、図３に示すとおり、液入出開口１６は略横向きになる。
このとき液入出開口１６とそれに通じる把手１４の筒内側が容器の最上部となるから、液の境界線が液入出開口１６に向けて開かれており、容器内の溜まり空気は液入出開口１６を通じて外界と通じる。したがって、液が流れ出た分、空気が潤沢に容器内に導入されるので脈動現象がなくなる。ある程度以上液をあけたら、具体的には天板１１を上に向けて正立させたとき液の境界線が液入出開口１６に向けて開かれるだけあけたら、前板１２を上にして（把手１３を掴んで）あけるか、天板１１を上にして（把手１４を持って）あけるかは任意である。
【００１８】
この容器１０からポンプを使って液をあけるには、図４に示すとおり、ポンプ２０の硬質挿入管２１を、液入出開口１６を通じて容器１０に挿入する。硬質挿入管２１は、把手１４の内側中空筒の内壁に接触しながら挿入され、さらに底に近い前板１２の内壁に接触する。したがって、ポンプ２０はこれらによって支えられ、ふらつくことがない。
【００１９】
また図５に示すとおり、この容器１０に柔軟性挿入管２２を挿入して液を吸引することもできる。液入出開口１６には、カプラ付きキャップ２３が被せられる。カプラ付きキャップ２３は柔軟性挿入管２２が連結し、その周囲には通気孔が開いている。そしてカプラ付きキャップ２３のカップラには、吸引管２４のプラグが嵌め込まれる。吸引管２４は吸引ポンプ（図示省略）に繋げられている。柔軟性挿入管２２を、液入出開口１６を通じて容器１０に挿入すると、柔軟性挿入管２２は、把手１４の内側中空筒の内壁に接触し若干の屈曲をしながら挿入され、管先部側面が底面に押し付けられて安定する。そのため柔軟性挿入管２２の管先部の暴れを防止でき、空気を吸引することがなくなる。
【００２０】
この液体容器を人工透析液の容器として使用するためには、本発明の構成要件により選別された原料樹脂組成物を使って容器を成形する必要がある。
【００２１】
以下、本発明を適用した人工透析液の容器の実施例と、本発明を適用外の容器の比較例を記載する。
【００２２】
実施例１
密度が０．９５６ｇ／ｃｍ３、ＭＦＲが０．４５ｇ／１０ｍｉｎであり、超純水による蒸発残留分が１０ｐｐｍであり、過マンガン酸カリウム消費量が５ｐｐｍであるポリエチレンペレットを５０ｍ／ｍ、Ｌ／Ｄ＝２２（Ｄ：スクリュー径、Ｌ：スクリュー有効長）の押出機の中で１８５℃に溶融し、筒状のパリソンに押し出した。押し出されたパリソンを金型で挟んで、ブローピンより６ｋｇ／ｃｍ２の圧縮空気を吹き込み、２０℃に冷却された金型で冷却し、該当形状の容器を成形した。
【００２３】
次にこの容器を用いて、日本薬局方第１３改正に準じた試験を行ったところ、いずれの純度試験にも合格した。
【００２４】
また、内容物の充填時、排出時に口がひとつであるため、作業はそれぞれ１回の開栓で行うことができ、デカンテーションによる排液の際には脈動は起こらず、スムースな排液が可能であった。一方、外部から管を挿入しての排液では、容器の構造から管が固定され、缶内部で管が暴れることはなかった。
【００２５】
さらに、この容器に内容物を１０Ｌ充填し、段積みを行ったところ、１０段積み上げた時点で容器に歪みは見られなかった。
【００２６】
実施例２
密度が０．９５９ｇ／ｃｍ３、ＭＦＲが０．３４ｇ／１０ｍｉｎであり、蒸発残留分が２５ｐｐｍであり、過マンガン酸カリウム消費量が７ｐｐｍであるポリエチレンペレットを５０ｍ／ｍ、Ｌ／Ｄ＝２２（Ｄ：スクリュー径、Ｌ：スクリュー有効長）の押出機の中で１８５℃に溶融し、筒状のパリソンに押し出した。
押し出されたパリソンを金型で挟んで、ブローピンより６ｋｇ／ｃｍ２の圧縮空気を吹き込み、２０℃に冷却された金型で冷却し、該当形状容器を成形した。
【００２７】
次にこの容器を用いて、日本薬局方第１３改正に準じた試験を行ったところ、いずれの純度試験にも合格した。
【００２８】
また、内容物の充填時、排出時に口がひとつであるため、作業はそれぞれ１回の開栓で行うことができ、デカンテーションによる排液の際には脈動は起こらず、スムースな排液が可能であった。一方、外部から管を挿入しての排液では、容器の構造から管が固定され、缶内部で管が暴れることはなかった。
【００２９】
さらに、この容器に内容物を１０Ｌ充填し、段積みを行ったところ、１０段積み上げた時点で容器に歪みは見られなかった。
【００３０】
【表１】
0004555442.tif 000002
【００３１】
蒸発残留分は以下の試験法で求めた。原料樹脂ペレットの試料を水でよく洗い、試料の表面積１ｃｍ２につき２ｍｌの割合の水を用い、６０℃に保ちながら３０分間放置する。この試験液２００〜３００ｍｌをあらかじめ１０５℃で乾燥した重量既知の白金製または石英製の蒸発皿にとり、水浴上で蒸発乾固する。ついで、１０５℃で２時間乾燥した後、デシケーター中で放冷する。冷後、秤量して蒸発皿の前後の重量差ａ（ｍｇ）を求め、次式により蒸発残留物の量を決める。
【００３２】
【式１】
0004555442.tif 000003
ｂは試験溶液と同量の浸出溶液について得た空試験値である。
【００３３】
過マンガン酸カリウム消費量以下の試験法で求めた。試料を水でよく洗い、その表面積１ｃｍ２につき２ｍｌの割合の水を用い、６０℃に保ちながら３０分間放置し、これを試験液とする。次に三角フラスコに水１００ｍｌ、硫酸５ｍｌ及び０．００２ｍｏｌ／ｌ過マンガン酸カリウム溶液５ｍｌを入れ、５分間煮沸した後、液を捨てて水で洗う。この三角フラスコに試験溶液１００ｍｌを採り、硫酸５ｍｌを加え、加熱して５分間煮沸する。加熱をやめ、直ちに０.０１ｍｏｌ／ｌシュウ酸ナトリウム溶液１０ｍｌを加えて脱色した後、０．００２ｍｏｌ／ｌ過マンガン酸カリウム溶液で微紅色が消えずに残るまで滴定する
【００３４】
別に、同様な方法で空試験を行い、次式により過マンガン酸カリウム消費量を求める。
【００３５】
【式２】
0004555442.tif 000004
【００３６】
ａは本試験の０．００２ｍｏｌ／ｌ過マンガン酸カリウム溶液の滴定量（ｍｌ）、ｂは空試験の０．００２ｍｏｌ／ｌ過マンガン酸カリウム溶液の滴定量（ｍｌ）である。
【００３７】
比較例１
実施例１と同様の原料、成形条件で、１つ口であり、持ち手を使った内容液のデカンテーションによる排出時に、口部が缶内部の液面よりも下になる構造を持った容器を成形した。この容器に内容物を充填、排出したが、排出作業において脈動が発生し、内容物の飛散が見られた。
【００３８】
比較例２
実施例１と同様の原料、成形条件で、該当容器に酷似しているが取っ手１４の構造を持たない容器を成形した。この容器に内容物を充填、排出したが、外部から管を挿入しての排液において、内容物の吸引排出を試みたところ、缶内部で管先が暴れ、残り５Ｌ程度となったところで管先が液中から飛び出し空気を吸引した。また、容器に内容物を１０Ｌ充填して段積みにしたところ、５段積み上げたところで容器に歪みが発生し、それ以上の積み上げは不可能であった。
【００３９】
【発明の効果】
以上、詳細に説明したように本発明を適用する液体容器は、満タンに近い状態の液をあけても脈動現象がなく、液が音をたてながら間欠的に排出されることもなくなり、潤沢に排出される。その結果、液の飛び散りを防ぐことができ、また液の排出停止を任意のタイミングによりできる。またポンプで液体を排出する際には、ポンプがふらつくことがないので、安定した排出作業をすることができる。
【００４０】
さらに本発明の人工透析液の容器は、容器材質から人工透析液に異物が溶け出し混入することを防ぐことができるから、人工透析液を汚損することなく、高い純度を維持することができる。
【図面の簡単な説明】
【図１】本発明を適用する液体容器の実施例の斜視図である。
【図２】前記実施例の液体容器を使用している状態の一例を示す側面図である。
【図３】同じく液体容器の別な使用状態の一例を示す側面図である。
【図４】同じく液体容器のさらに別な使用状態の一例を示す側面図である。
【図５】同じく液体容器のさらに別な使用状態の一例を示す側面図である。
【符号の説明】
１０は容器、１１は天板、１２は前板、１３は把手、１４は筒状の把手、１６は液入出開口、１７はキヤップ、２０はポンプ、２１は硬質挿入管、２２は柔軟性挿入管、２３はカプラ付きキャップ、２４は吸引管である。
【図１】
0004555442.tif 000005
【図２】
0004555442.tif 000006
【図３】
0004555442.tif 000007
【図４】
0004555442.tif 000008
【図５】
0004555442.tif 000009